(57)【特許請求の範囲】
【請求項１】
建築物の外壁本体に胴縁を介して取付ける外装パネルの下端部を覆う外装パネル用役物であって、
前記外装パネル用役物は第一垂直材と第二垂直材がそれぞれの下端部を水平材で連結して成る断面略Ｕ字形状の長尺材で形成され、
前記水平材に形成される水抜き孔を覆うカバー材が前記水平材の上面で前記第一垂直材又は第二垂直材に向けて開口部を備え、前記カバー材は曲面で前記開口部の近傍において前記水平材と略平行に形成されることを特徴とする外装パネル用役物。
【請求項２】
請求項１に記載の外装パネル用役物であって、前記水抜き孔とカバー材は板金加工で前記水平材に一体成形されることを特徴とする外装パネル用役物。
【発明の詳細な説明】
【技術分野】
【０００１】
本発明は、外装パネルを外壁本体に取付ける外装パネル用役物に関し、特に、外装パネル用役物に形成される水抜き孔の技術に関する。
【背景技術】
【０００２】
従来、外装パネル用役物として、例えば、特許文献１の記載が知られている。図３に示すように、特許文献１の外装パネル用役物３は外装パネル１の下端部を覆って建築物の外壁土台部８に沿って設けられる。
【０００３】
より詳しくは、外壁土台部８には外壁本体６が設けられ、外装パネル用役物３は外壁本体６の外面に胴縁１４を介して取付けられる。そして、外装パネル用役物３の下方には水切り部材９を備える。
【０００４】
水切り部材９は第一垂直材９ａと斜材９ｂと第二垂直材９ｃから成り、第一垂直材９ａが釘等の固着具１６を用いて胴縁１４に固着される。
【０００５】
そして、外装パネル用役物３は平行する一対の垂直材３ｂ、３ｃが水平材３ａと連結して断面略Ｕ字状に形成されて成り、垂直材３ｃが釘等の固着具１７を用いて胴縁１４に固着される。水平材３ａには切り起こし片７を上方に切り起こすことで水抜き孔４が形成される。
【０００６】
このため、水抜き孔４からの雨水を水切り部材９によって外壁本体６から外側に流すことができる。
【特許文献１】特開２００１−１５２６５５号公報
【発明の開示】
【発明が解決しようとする課題】
【０００７】
ところが、図４に示すように、外装パネル１が発泡材を内装する金属サイディングの場合には、自重で経年変化により外装パネル１が下降して発泡材が切り起こし片７に食込むことがあった。この場合、外装パネル用役物３内に浸水する雨水Ｑ１を下端部１ａが毛細現象により吸い上げるため、発泡材の劣化が進み易くなり外装パネル１の性能低下につながる。さらに、外装パネル１の下降によって、外装パネル１が横張りの場合に上方に設けられる外装パネル１との目地部が開いたり、目地位置が移動するので外観が劣り品質が低下するという問題があった。
【０００８】
また、図５に示すように、外装パネル１が縦張りの場合に、自重で発泡材が切り起こし片７に食込むと外装パネル１ｂの水平移動が困難となるため施工性が悪いという問題があった。
【０００９】
本発明はかかる従来技術の問題に鑑みなされたものであって、外装パネル用役物の水抜き孔の形成で外装パネルが食込むことのない外装パネル用役物を提供することを目的とする。
【課題を解決するための手段】
【００１０】
請求項１の発明は、建築物の外壁本体に胴縁を介して取付けられる外装パネルの下端部を覆う外装パネル用役物であって、前記外装パネル用役物は第一垂直材と第二垂直材がそれぞれの下端部を水平材で連結して成る断面略Ｕ字形状の長尺材で形成され、前記水平材に形成される水抜き孔を覆うカバー材が前記水平材の上面で前記第一垂直材又は第二垂直材に向けて開口部を備え、前記カバー材は曲面で前記開口部の近傍において前記水平材と略平行に形成されることを特徴としている。
【００１１】
請求項２の発明は、請求項１に記載の外装パネル用役物であって、前記水抜き孔とカバー材は板金加工で前記水平材に一体成形されることを特徴としている。
【発明の効果】
【００１２】
請求項１の発明によれば、前記水平材に形成される水抜き孔を覆うカバー材が前記水平材の上面で前記第一垂直材又は第二垂直材に向けて開口部を備え、前記カバー材は曲面で前記開口部の近傍において前記水平材と略平行に形成されるので、前記外装パネルはカバー材の上部に前記外装パネルの下端部を載せて安定してスライドさせることができるので、隣接する前記外装パネルに確実且つ容易に当接することができて作業性が向上する。また、隣接する前記外装パネルが確実に当接するので外観仕上がりが良く品質向上する。
【００１３】
請求項２の発明によれば、前記水抜き孔とカバー材は板金加工で前記水平材に一体成形されるので製作コストを下げることができる。
【発明を実施するための最良の形態】
【００１４】
以下に、本発明の実施形態を図１〜図３に基づいて説明する。
【００１５】
＜外装パネル用役物の構成＞
図１、図２に示すように、本発明の外装パネル用役物２５は外装パネル２３の下端部２３ａを覆って建築物の外壁本体２２に胴縁２６を介して取付けられる。
【００１６】
外装パネル用役物２５は第一垂直材２５ａと第二垂直材２５ｃがそれぞれの下端部を水平材２５ｂで連結して成る断面略Ｕ字形状の長尺材で形成され、第一垂直材２５ａの上端部は折返し部２５ｄを設け、第二垂直材２５ｃの上端部は折重ね部２５ｅが設けられる。水平材２５ｂの下面側に水抜き部３０と上面側に水抜き部３０ａがそれぞれ交互に複数組形成される。
【００１７】
水抜き部３０は水平材２５ｂを切抜いてなる水抜き孔４０が水平材２５ｂの上面側からカバー材４１で覆われ、このカバー材４１には開口部４２が第一垂直材２５ａに向けて設けられる。
【００１８】
より詳しくは、水抜き部３０は水平材２５ｂに略長方形の水抜き孔形成領域４０ａを確保し、この水抜き孔形成領域４０ａにおける外部側の長辺Ｌ１を切断する。そして、板金加工によって他の長辺Ｌ２を折り曲げながら長辺Ｌ１を上方に押上げ、同時に短辺Ｌ３と短辺Ｌ４を湾曲させることによって水抜き孔４０が形成されるとともに湾曲したカバー材４１が一体的に形成される。
【００１９】
このとき、長辺Ｌ１を上方に押上げて成る開口上端部Ｌ５と湾曲した短辺Ｌ３と短辺Ｌ４と水平材２５ｂ（水抜き孔形成領域４０ａの長辺Ｌ１に該当する）に囲まれて開口部４２が第一垂直材２５ａに向けて形成される。カバー材４１はこの開口部４２の近傍Ｓにおいて水平材２５ｂと略平行に形成される。
【００２０】
開口部４２がより確実に第一垂直材２５ａに向けて開口するように、開口部４２を形成する開口上端部Ｌ５はできるだけ長辺Ｌ１の垂直線上に位置するのが好ましい。
【００２１】
水抜き部３０ａも水抜き部３０と同様に形成されるが、水抜き部３０ａは水平材２５ｂの下面側からカバー材４１aで覆われて開口部４２aが建築物側に向かって設けられる。
【００２２】
ここで、上下方向の一対の外装パネル用役物２５間に水切り部材２１が設けられる。水切り部材２１は第一垂直材３１とこの第一垂直材３１に平行な第二垂直材３２が第一垂直材３１の下端部から下方傾斜する斜材３３で第二垂直材３２の上端部と連結して成る垂直断面略Ｚ字形状の長尺材で形成される。
【００２３】
より詳しくは、第一垂直材３１の下端部に第一垂直材３１に近接する第三垂直材３１aを備えこの第三垂直材３１aの下端部に斜材３３が連結する。第一垂直材３１の上端部は折り重ね部３１ｂを設け、第二垂直材３２の下端部は折返し部３２ａが設けられる。第一垂直材３１は外壁本体２２に釘等の固着具２９によって固着される。
【００２４】
外装パネル用役物２５の第二垂直材２５ｃは外装下地材としての胴縁２６を介して水切り部材２１の第一垂直材３１と共に外壁本体２２に釘等の固着具２９ａによって固着される。好ましくは、胴縁２６と第一垂直材３１との間に図示しない防水テープや透湿防水シートが挿入される。
【００２５】
外装パネル２３は断熱性、遮音性等を目的として、内部の断熱材を両側から薄肉の金属板で被覆してなる金属サイディングが用いられる。複数の外装パネル２３は外壁本体２に縦張りによって一定間隔で組付けられる。
【００２６】
外装パネル用役物２５は板厚０．３５ｍｍの薄厚鋼板を板金によって絞り加工して一体形成されるが、両表面にアルミ・亜鉛合金メッキを施し、さらに表面側となる面にフッ素樹脂塗装、裏面側にポリエステル樹脂塗装が施される。
【００２７】
＜外装パネル用役物の作用＞
上記、水抜き部３０の形成は、水平材２５ｂに略長方形の水抜き孔形成領域４０ａを確保し、この水抜き孔形成領域４０ａにおける外部側の長辺Ｌ１を切断する。そして、板金加工によって他の長辺Ｌ２を折り曲げながら長辺Ｌ１を上方に押上げ、同時に短辺Ｌ３と短辺Ｌ４を湾曲させることによって水抜き孔４０が形成されるとともに湾曲したカバー材４１が一体的に形成される。カバー材４１は開口部４２の近傍Ｓにおいて水平材２５ｂと略平行に形成される。
【００２８】
このため、外装パネル２３の下端部は湾曲したカバー材４１の開口部４２の近傍Ｓに載せられた状態で横滑りが容易にできるので作業性が向上する。また、隣接する外装パネルに確実且つ容易に当接して取付けることができるので外観仕上がりが良く品質向上する。
【００２９】
なお、カバー材４１によって外装パネル２３の下端面と水平材２５ｂとの間に形成される隙間によって雨水の流路が確保できる。
【００３０】
外装パネル用役物２５を板金するだけの簡単な構造でカバー材４１と開口部４２から成る水抜き部３０が一体形成されるので施工性が向上して低コストで製作できる。
【００３１】
以上、本発明の実施例を図面に基づいて説明したが、具体的な構成はこの実施例に限られるものではなく本発明の要旨を逸脱しない範囲の設計変更等があっても本発明に含まれる。
【００３２】
たとえば、外装パネル用役物２５の上部側に形成される水抜き部３０は、下部側の水抜き部３０ａと同様にその開口部４２を外壁本体２２に向けて開口してもよい。外装パネル用役物２５はアルミ材や樹脂材で形成することもできる。
【００３３】
水抜き部３０は、一枚の外装パネル２３に対応して少なくとも３箇所設けて、開口部４２を第一垂直材２５ａと第二垂直材２５ｃに交互に向けて配置することもできる。この場合、外装パネル２３を３箇所のカバー材４１によって略垂直状態に保てるので、外装パネル２３の横滑り移動が安定し作業性がさらに向上する。
【図面の簡単な説明】
【００３４】
【図１】本発明の実施形態における、建築物の外壁本体２２に設けられる外装パネル用役物２５の状態を示す断面図である。
【図２】本発明の実施形態における、図１のＡ−Ａ断面矢視図である。
【図３】従来の、建築物の外壁本体に設けられる外装パネル用役物３の状態を示す断面図である。
【図４】図５における、外装パネル１が自重で下降して切り起こし片７に食込んだ状態を示す断面図である。
【図５】従来の、建築物の外壁本体に外装パネルを取付ける状態を示す側面図である。
【符号の説明】
【００３５】
２２  外壁本体
２３  外装パネル
２３ａ  下端部
２５  外装パネル用役物
２５ａ  第一垂直材
２５ｂ  水平材
２５ｃ  第二垂直材
２６  胴縁
３０  水抜き部
４０  水抜き孔
４０ａ  水抜き孔形成領域
４１  カバー材
４２  開口部
Ｌ１  長辺
Ｌ２  長辺
Ｌ３  短辺
Ｌ４  短辺
Ｓ  近傍
【図１】
0004844480.tif 000002
【図２】
0004844480.tif 000003
【図３】
0004844480.tif 000004
【図４】
0004844480.tif 000005
【図５】
0004844480.tif 000006